(57)【要約】【課題】ゴルフボールマーカー等のプレートを確固と安定状態に保持でき、プレートの脱着も容易で見栄えのよいプレートホルダーを提供することを課題とする。【解決手段】円形状の周壁３に囲まれた収納部２を有するホルダー本体１と、前記収納部２内に収められて前記周壁３に支持されるプレート４とから成り、前記収納部２内には、その深さの半分程の厚みであって、前記収納部２内に空間７を保持するための直線部６を有する段部５が設置され、前記プレート４は、前記プレート４及び／又は前記段部５に埋設された永久磁石８を介して前記段部５に磁着される。【選択図】図３
0003122267.tif 000002
【実用新案登録請求の範囲】
【請求項１】
円形状の周壁に囲まれた収納部を有するホルダー本体と、前記収納部内に収められて前記周壁に支持されるプレートとから成り、前記収納部内には、その深さの半分程の厚みであって、前記収納部内に空間を保持するための直線部を有する段部が設置され、前記プレートは、前記プレート及び／又は前記段部に埋設された永久磁石を介して前記段部に磁着されることを特徴とするプレートホルダー。
【請求項２】
前記直線部の長さは前記段部の直径の約３分の２である請求項１に記載のプレートホルダー。
【請求項３】
前記プレートの上面は、前記収納部内への収納時に、前記周壁の上面と一致する請求項１又は２に記載のプレートホルダー。
【請求項４】
前記直線部は、対称的に２個所形成される請求項１乃至３のいずれかに記載のプレートホルダー。
【請求項５】
前記ホルダー本体は、吊下手段又は掛止手段を有する請求項１乃至４のいずれかに記載のプレートホルダー。
【考案の詳細な説明】
【技術分野】
【０００１】
本考案はプレートホルダー、より詳細には、ゴルフボールマーカー、記念メダル、銘板等の、主として金属製のプレートを保持するホルダーであって、殊に、プレートを頻繁に脱着する必要のある用途に好適なプレートホルダーに関するものである。
【背景技術】
【０００２】
本考案におけるプレートの一例であるゴルフボールマーカーとしては、一般にプラスチック製のものが多く用いられているが、より高級感があり、使用者の趣好心を満足させる金属製のものも使用されている。そして、この金属製ゴルフボールマーカーを携帯保持する方法としては、磁着方式が一般的である。
【０００３】
例えば、帽子のひさしに保持するもの（実用新案登録第３１０３３５３号）、腕環状ホルダーにて保持するもの（実用新案登録第３０１６８１２号公報）、クリップ手段を有していてベルト等に掛けるホルダーにて保持するもの（実用新案登録第３１０１４５６号、同第３１０６２６２号公報）、吊下手段を有していて所望個所に吊下するホルダーにて保持するもの（実用新案登録第３０９６４５３号公報）等が知られている。
【０００４】
これらの手段のうち、帽子のひさしにて保持するものは帽子に加工する必要があるためにコスト高となりがちで、用途も限られているという欠点があり、上記公報に記載の腕環状ホルダーにて保持するもの、並びに、クリップ手段を有するホルダーにて保持するものは、マーカーが確固と保持されないために、スイング等に伴って脱落しやすいという欠点がある。
【０００５】
また、実用新案登録第３０９６４５３号公報記載のものは、ホルダーの中心に永久磁石を、その頭面を若干突出させて配置し、ボールマーカーの取り外しに当たり、テコを利用して、その一端部を押して他端部を浮上させて滑動させて取り出すというものである。
【０００６】
この構成の場合、上記ボールマーカーの押圧浮上操作に当たり、一端にかける力を小さくして他端を浮上させるためには、永久磁石の径をできるだけ小さくする必要があるが、そのようにした場合は、ボールマーカーに対する永久磁石の当接面積が少なくなり、十分な磁着力が得られず、僅かな衝撃で脱落するおそれがあり、安定保持が望めないことになる。
【０００７】
更に、上記押圧に伴なうボールマーカーの回動動作の支点（永久磁石頭周部との接触部）が、点接触に近いものとなって動作が不安定となり、テコを十分に利用しづらい状態となる。
【０００８】
【特許文献１】実用新案登録第３１０３３５３号公報
【特許文献２】実用新案登録第３０１６８１２号公報
【特許文献３】実用新案登録第３１０６２６２号公報
【特許文献４】実用新案登録第３０９６４５３号公報
【考案の開示】
【考案が解決しようとする課題】
【０００９】
本考案は、上述したような従来のゴルフボールマーカーホルダーを代表例とするプレートホルダーの有する欠点を除去するためになされたもので、ゴルフボールマーカー等のプレートを確固と安定状態に保持でき、プレートの脱着も容易で見栄えのよいプレートホルダーを提供することを課題とする。
【課題を解決するための手段】
【００１０】
上記課題を解決するための請求項１に記載の考案は、円形状の周壁に囲まれた収納部を有するホルダー本体と、前記収納部内に収められて前記周壁に支持されるプレートとから成り、前記収納部内には、その深さの半分程の厚みであって、前記収納部内に空間を保持するための直線部を有する段部が設置され、前記プレートは、前記プレート及び／又は前記段部に埋設された永久磁石を介して前記段部に磁着されることを特徴とするプレートホルダーである。
【００１１】
好ましくは、前記直線部の長さは前記段部の直径の約３分の２とされ、また、前記プレートの上面は、前記収納部内への収納時に、前記周壁の上面と一致するようにされる。前記直線部は、対称的に２個所形成されることもある。前記ホルダー本体は、吊下手段又は掛止手段を有する。
【考案の効果】
【００１２】
本考案は上記構成であって、プレートは周壁に囲まれて収納部内に密に収められ、且つ、十分な当接面積を以て段部上に磁着されるために、移動することなく安定状態にて確固と保持され、プレートの取り外しに際しては、直線部を支点としてテコを安定状態に有効に作用させることができ、小さな力で簡単に操作してプレートを取り外すことができ、また、再磁着し又は交換したりすることができる効果がある。
【００１３】
請求項３に記載の考案においては、更に、プレートが収納部から突出しないため、プレートが接触物に引掛かって脱落するおそれがないという効果がある。
【考案を実施するための最良の形態】
【００１４】
本考案の好ましい実施の形態について添付図面に依拠して説明する。図１乃至図５に示す実施形態は、本考案に係るホルダーをゴルフボールマーカー用ホルダーとして構成したものである。それは、周壁３に囲まれた円形状の収納部２を有するホルダー本体１と、その収納部２内に収められて、収納部２の周壁３に支持されるマーカー（プレート）４とから成る。ここに円形状とは、真円だけでなく、それに近い形状をも含むものである。
【００１５】
マーカー４は主に金属製であるが、それに限られる訳ではなく、例えば樹脂プレートに、磁性材（又は永久磁石）を埋設したものであってもよい。
【００１６】
収納部２内には、収納部２の深さの半分程の厚みの段部５が設置される。段部５は、円形板の一部を直線的にカットした形状のもので、そのカットにより形成される直線部６を備えることにより、直線部６と周壁３との間に空間７が保持される。直線部６の長さは、後述する理由により、段部５の直径の３分の２程度にされる。図示した例では、直線部６は段部５の下部にのみ設けているが、上下に対称的に設けることとしてもよい。
【００１７】
符号８は、段部５に埋設された永久磁石で、これに、磁性体であるマーカー４が磁着されることになる。永久磁石８は、逆にマーカー４側に埋設し、段部５の全体又は一部を磁性体としてもよい（図４、図５）。あるいは、マーカー４と段部５の双方に永久磁石８を埋設する構成も可能である。
【００１８】
符号９は、本プレートホルダーを被服、カバン、その他任意の個所に吊下するための吊下具で、公知の任意の形態のものを採用することができる。
【００１９】
上記構成のプレートホルダーは、マーカー４をホルダー本体１の収納部２内に収め、段部５及び／又はマーカー４に配備されている永久磁石８を介してそこに磁着させることにより構成される。マーカー４は周囲を周壁３によって保持されるため、滑動、脱落することがなく、安定状態に保持される。殊に、収納時においてマーカー４の上面が周壁３の上面に面一となるようにすることで、外観上も周壁３との一体感が醸し出されるだけでなく、プレート４が接触物に引掛かって脱落することが確実に防止される。周壁３は、薄くして目立たないようにすることができ、また、逆に、厚くして装飾を施して目立つようにすることもできる。
【００２０】
マーカー４を取り外す際は、爪先でマーカー４の端部、詳細には、空間７上に位置するマーカー４の端部を押圧する。するとマーカー４は、段部５の直線部６を支点に回動し、反対側が大きく浮上するので、他方の手の指先で簡単に取り外すことができる（図３、図５参照）。この押圧操作は、直線部６の長さが長い程安定して小さな力で行うことができるが、あまり長いと、小さな力でもマーカー４の他端部が浮上してしまい、マーカー４を段部５上に安定状態に保持することに支障を来たすので、直線部６の長さは、直径の３分の２程度とすることが好ましい。
【００２１】
次に図６及び図７に示す実施形態について説明する。この実施形態は、本プレートホルダーをベルトやポケット等取付用に構成したもので、基本的構成は、上記実施形態と同じであり、図１乃至図５におけると同一の符号が付されている部分は、上記実施形態と同じ構成であるので、詳細な説明は省略する。
【００２２】
この実施形態においては、上記吊下具９の代わりに、ホルダー本体１の背面にクリップ１０が設置されている。クリップ１０は板バネ１１を備えていて、ホルダー本体１の背面と板バネ１１との間においてベルトやポケット等を挟持することにより、そこに取り付けられる。
【００２３】
図示した例では、ホルダー本体１の下部に表示板１２が連設されている。表示板１２には、適宜表記、例えば、大会名、ゴルフコース名、宣伝文句、装飾文字、図等を表示することができる。また、図７から理解し得るように、この表示板１２とクリップ１０の下端を利用して、本プレートホルダーを立て置くことが可能で、記念品等として飾っておくこともできる。
【００２４】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２５】
【図１】本考案の第１の実施形態の正面及び背面図である。
【図２】本考案の第１の実施形態の拡大縦断面図である。
【図３】本考案の第１の実施形態のプレート取り外し方法を示す拡大縦断面図である。
【図４】本考案の第２の実施形態の縦断面図である。
【図５】本考案の第２の実施形態のプレート取り外し方法を示す縦断面図である。
【図６】本考案の第３の実施形態の部分断面正面図である。
【図７】本考案の第３の実施形態の側面図である。
【符号の説明】
【００２６】
１    ホルダー本体
２    収納部
３    周壁
４    マーカー
５    段部
６    直線部
７    空間
８    永久磁石
９    吊下具
１０    クリップ
１１    板バネ
１２    表示板
【図１】
0003122267.tif 000003
【図２】
0003122267.tif 000004
【図３】
0003122267.tif 000005
【図４】
0003122267.tif 000006
【図５】
0003122267.tif 000007
【図６】
0003122267.tif 000008
【図７】
0003122267.tif 000009